(57)【要約】【課題】スクーターを提供すること。【解決手段】このスクーターは車両本体と撮像部とを含み、撮像部が車両本体に取り付けられ、車両本体は、撮像部が車両本体の周囲の道路状況を撮像するように、撮像部の撮像画角を回避するための回避空間を有する。車両本体に回避空間が設けられ、撮像部が車両本体に取り付けられることで、回避空間に恵まれて、撮像部は視野角が遮断されてしまうのを回避し、撮像部は周囲環境をより大きい角度で観察することができるようになる。【選択図】図１
2020090272.tif 000002
【特許請求の範囲】
【請求項１】
車両本体（１０）と、
前記車両本体（１０）に取り付けられる撮像部（２０）と、を含み、前記車両本体（１０）は、前記撮像部（２０）が前記車両本体（１０）の周囲の道路状況を撮像するように、前記撮像部（２０）の撮像画角を回避するための回避空間（１４）を有することを特徴とするスクーター。
【請求項２】
前記車両本体（１０）に接続される駆動部（３０）と、
少なくとも一部が前記駆動部（３０）に可動自在に接続される車輪部（４０）と、
前記車両本体（１０）に接続されながら、前記撮像部（２０）及び前記駆動部（３０）のそれぞれに電気的に接続され、前記車輪部（４０）の少なくとも一部を駆動するに連れて前記車両本体（１０）が移動し障害物を避けるように、前記撮像部（２０）で収集された画像信号によって、動作するように前記駆動部（３０）を制御する制御部と、をさらに含む、
ことを特徴とする請求項１に記載のスクーター。
【請求項３】
前記車両本体（１０）は、
ボード（１１）と、
前記ボード（１１）に回動可能に接続され、第１端が前記駆動部（３０）に接続されるポール部（１２）と、
前記ポール部（１２）の第２端に接続されながら前記撮像部（２０）に接続され、前記ポール部（１２）の第２端との間に前記回避空間（１４）が形成されているハンドル部（１３）と、を含む、
ことを特徴とする請求項２に記載のスクーター。
【請求項４】
前記ハンドル部（１３）は、
前記撮像部（２０）に接続されるハンドルバー（１３１）と、
第１端が前記ハンドルバー（１３１）に接続され、第２端が前記ポール部（１２）の第２端に接続される第１リンク（１３２）と、
第１端が前記ハンドルバー（１３１）に接続され、第２端が前記ポール部（１２）の第２端に接続され、第１端と前記第１リンク（１３２）の第１端とが間隔を置いて設けられる第２リンク（１３３）と、を含み、
前記ハンドルバー（１３１）、前記第１リンク（１３２）及び前記第２リンク（１３３）によって前記回避空間（１４）が囲み形成される、
ことを特徴とする請求項３に記載のスクーター。
【請求項５】
前記ハンドル部（１３）は、
取付面（１３５）を有し、前記ハンドルバー（１３１）に接続されるとともに、前記第１リンク（１３２）と前記第２リンク（１３３）との間に位置し、前記撮像部（２０）が前記取付面（１３５）に着脱可能に設けられる取付ベース（１３４）、をさらに含む、
ことを特徴とする請求項４に記載のスクーター。
【請求項６】
前記取付面（１３５）と水平面とが所定角度をなして設けられる、
ことを特徴とする請求項５に記載のスクーター。
【請求項７】
前記撮像部（２０）は、広角撮像装置である、
ことを特徴とする請求項５に記載のスクーター。
【請求項８】
前記ポール部（１２）は、
第１端が前記車両本体（１０）に接続され、第２端に、その長手方向に沿って延びて収容室を形成する開口が設けられる第１ポール（１２１）と、
第１端が前記収容室内に可動自在に設けられ、第２端が前記ハンドル部（１３）に接続され、第２端と前記ポール部（１２）との間に前記回避空間（１４）が形成されている第２ポール（１２２）と、を含む、
ことを特徴とする請求項３に記載のスクーター。
【請求項９】
前記第１ポール（１２１）及び前記第２ポール（１２２）のうちの少なくとも一方には、前記制御部に電気的に接続される距離センサが設けられ、
前記第２ポール（１２２）は、前記収容室内にある縮んだ位置と、前記収容室外にある伸びた位置とを有し、
前記距離センサによって前記第２ポール（１２２）が前記縮んだ位置にあると検出された場合に、前記制御部は、前記撮像部（２０）で収集された画像信号によって、動作するように前記駆動部（３０）を制御し、
前記距離センサによって前記第２ポール（１２２）が伸びた位置にあると検出された場合に、前記制御部は、作業を停止するように前記撮像部（２０）を制御する、
ことを特徴とする請求項８に記載のスクーター。
【請求項１０】
前記車両本体（１０）に接続されながら、前記制御部に電気的に接続される警報部を含む、
ことを特徴とする請求項２に記載のスクーター。
【請求項１１】
駆動部（３０）と、
前記駆動部（３０）に駆動接続されることで、その輪軸の軸線回りに回動するように駆動され、及び／又は、転舵運動するように駆動される車輪部（４０）と、
前記車両本体（１０）に接続されながら、前記撮像部（２０）及び前記駆動部（３０）のそれぞれに電気的に接続され、前記車輪部（４０）の少なくとも一部を駆動するに連れられて前記車両本体（１０）が移動し障害物を避けるように、前記撮像部（２０）で収集された画像信号によって、動作するように前記駆動部（３０）を制御する制御部と、をさらに含む、
ことを特徴とする請求項１に記載のスクーター。
【請求項１２】
前記車両本体（１０）は、取付フレーム（５０）をさらに含み、前記車輪部（４０）は、前記取付フレーム（５０）に回動可能に取り付けられ、
前記駆動部（３０）は、
前記車輪部（４０）の内側に設けられ、前記車輪部（４０）の輪軸に接続されることで、前記輪軸の軸線回りに回動するように前記車輪部（４０）を駆動する第１駆動部（３１）と、
前記取付フレーム（５０）に駆動接続されることで、回動するように前記取付フレーム（５０）を駆動することにより、前記取付フレーム（５０）の回動に連れられて前記車輪部（４０）が転舵する第２駆動部（３２）と、を含む、
ことを特徴とする請求項１１に記載のスクーター。
【請求項１３】
前記車両本体（１０）は、
ボード（１１）と、
前記ボード（１１）に対して回動可能に設けられ、第１端が前記取付フレーム（５０）に接続されて、前記第２駆動部（３２）が非作動状態にある場合に、操作されることにより前記車輪部（４０）を転舵させるポール部（１２）と、
前記ポール部（１２）の第２端に接続され、前記撮像部（２０）が取り付けられているハンドル部（１３）と、を含み、
前記ハンドル部（１３）は、
前記撮像部（２０）が設けられているハンドルバー（１３１）と、
前記ハンドルバー（１３１）とで前記回避空間（１４）を囲むように、両端がそれぞれ前記ハンドルバー（１３１）に接続され、前記撮像部（２０）の少なくとも一部が前記回避空間（１４）内に位置するＵ字形状ロッドである接続ロッドと、を含み、
前記ポール部（１２）の第２端が前記接続ロッドの中部に接続される、
ことを特徴とする請求項１２に記載のスクーター。
【請求項１４】
前記ポール部（１２）は、
第１ポール（１２１）及び第２ポール（１２２）を含み、
前記第２ポール（１２２）が前記第１ポール（１２１）に伸縮可能に設けられ、
前記第１ポール（１２１）の前記第２ポール（１２２）から離れた一端が前記取付フレーム（５０）に接続され、前記第２ポール（１２２）の前記第１ポール（１２１）から離れた一端が前記ハンドル部（１３）に接続され、
前記スクーターは、人工運転状態と無人運転状態とを有し、前記第２ポール（１２２）は、縮んだ位置と伸びた位置とを有し、
前記スクーターが前記人工運転状態にある場合に、前記第２ポール（１２２）は前記伸びた位置にあることで、操作者は前記ポール部（１２）を操作することで前記車輪部（４０）を転舵させ、
前記スクーターが前記無人運転状態にある場合に、前記第２ポール（１２２）は前記縮んだ位置にあることで、前記駆動部（３０）は、転舵するように前記車輪部（４０）を駆動する、
ことを特徴とする請求項１３に記載のスクーター。
【請求項１５】
前記第１ポール（１２１）及び／又は前記第２ポール（１２２）には距離センサが設けられ、前記距離センサによって、前記第２ポール（１２２）が前記縮んだ位置又は前記伸びた位置にあることを検出し、
前記駆動部（３０）は、転舵するように前記車輪部（４０）を駆動するための第２駆動部（３２）を有し、
前記制御部は、前記距離センサに接続され、
前記距離センサによって前記第２ポール（１２２）が前記縮んだ位置にあると検出された場合に、前記制御部は、前記撮像部（２０）で収集された画像信号によって、動作するように前記第２駆動部（３２）を制御して、前記車輪部（４０）は前記第２駆動部（３２）の駆動により転舵し、
前記距離センサによって前記第２ポール（１２２）が前記伸びた位置にあると検出された場合に、前記制御部は、作業を停止するように前記撮像部（２０）及び前記第２駆動部（３２）を制御して、前記車輪部（４０）は操作者の操作により転舵する、
ことを特徴とする請求項１４に記載のスクーター。
【発明の詳細な説明】
【技術分野】
【０００１】
本発明は、体感車両装置の技術分野に関し、具体的には、スクーターに関する。
【背景技術】
【０００２】
従来技術において、自動走行型スクーターの撮像部は、スクーターの進行方向又は予定走行方向等の単一の方向のみを撮像でき、スクーターの周りの環境を広角撮像することができないので、周辺の走行道路状況を正確に把握することができず、スクーターの走行は不安全の恐れがあるとなる。
【発明の概要】
【発明が解決しようとする課題】
【０００３】
本発明の主な目的は、従来技術において自動走行型スクーターは周囲環境を同時に観測することができない問題を解決するように、スクーターを提供する。
【課題を解決するための手段】
【０００４】
上述した目的を達成するために、本発明の一態様によれば、車両本体と、
前記車両本体に取り付けられる撮像部と、を含み、前記車両本体は、前記撮像部が前記車両本体の周囲の道路状況を撮像するように、前記撮像部の撮像画角を回避するための回避空間を有するスクーターを提供する。
【０００５】
さらに、スクーターは、前記車両本体に接続される駆動部と、
少なくとも一部が前記駆動部に可動自在に接続される車輪部と、
前記車両本体に接続されながら、前記撮像部及び前記駆動部のそれぞれに電気的に接続され、前記車輪部の少なくとも一部を駆動するに連れて前記車両本体が移動し障害物を避けるように、前記撮像部で収集された画像信号によって、動作するように前記駆動部を制御する制御部と、をさらに含む。
【０００６】
さらに、車両本体は、ボードと、ボードに回動可能に接続され、第１端が駆動部に接続されるポール部と、ポール部の第２端に接続されながら撮像部に接続されポール部の第２端との間に回避空間が形成されているハンドル部と、を含む。
さらに、ハンドル部は、撮像部に接続されるハンドルバーと、第１端がハンドルバーに接続され、第２端がポール部の第２端に接続される第１リンクと、第１端がハンドルバーに接続され、第２端がポール部の第２端に接続される第２リンクであって、第１端と第１リンクの第１端とが間隔を置いて設けられる第２リンクと、を含み、ハンドルバー、第１リンク及び第２リンクによって回避空間が囲み形成される。
【０００７】
さらに、ハンドル部は、取付面を有し、ハンドルバーに接続されるとともに、第１リンクと第２リンクとの間に位置し、撮像部が取付面に着脱可能に設けられる取付ベース、をさらに含む。
さらに、取付面と水平面とが所定角度をなして設けられる。
さらに、撮像部は、広角撮像装置である。
さらに、ポール部は、第１端が車両本体に接続され、第２端に、その長手方向に沿って延びて収容室を形成する開口が設けられる第１ポールと、第１端が収容室内に可動自在に設けられ、第２端がハンドル部に接続され、第２端とポール部との間に回避空間が形成されている第２ポールと、を含む。
【０００８】
さらに、第１ポール及び第２ポールのうちの少なくとも一方には、制御部に電気的に接続される距離センサが設けられ、第２ポールは、収容室内にある縮んだ位置と、収容室外にある伸びた位置とを有し、距離センサによって第２ポールが縮んだ位置にあると検出された場合に、制御部は、撮像部で収集された画像信号によって、動作するように駆動部を制御し、距離センサによって第２ポールが伸びた位置にあると検出された場合に、制御部は、作業を停止するように撮像部を制御する。
さらに、スクーターは、車両本体に接続されながら、制御部に電気的に接続される警報部を含む。
【０００９】
さらに、スクーターは、駆動部と、駆動部に駆動接続されることで、その輪軸の軸線回りに回動するように駆動され、及び／又は、転舵運動するように駆動される車輪部と、車両本体に接続されながら、撮像部及び駆動部のそれぞれに電気的に接続され、車輪部の少なくとも一部に連れられて車両本体が移動し障害物を避けるように、撮像部で収集された画像信号によって、動作するように駆動部を制御する制御部と、をさらに含む。
【００１０】
さらに、車両本体は、取付フレームをさらに含み、車輪部は、取付フレームに回動可能に取り付けられ、駆動部は、車輪部の内側に設けられ、車輪部の輪軸に接続されることで、輪軸の軸線回りに回動するように車輪部を駆動する第１駆動部と、取付フレームに駆動接続されることで、回動するように取付フレームを駆動し、これにより、取付フレームに連れられて車輪部が転舵する第２駆動部とを含む。
【００１１】
さらに、車両本体は、ボードと、ボードに対して回動可能に設けられ、第１端が取付フレームに接続され、第２駆動部が非作動状態にある場合に、操作されることで車輪部を転舵させるポール部と、ポール部の第２端に接続され、撮像部が取り付けられているハンドル部と、を含み、ハンドル部は、撮像部が設けられているハンドルバーと、ハンドルバーとで回避空間を囲むように、両端がそれぞれハンドルバーに接続され、撮像部の少なくとも一部が回避空間内に位置するＵ字形状ロッドである接続ロッドと、を含み、ポール部の第２端が接続ロッドの中部に接続される。
【００１２】
さらに、ポール部は、第１ポール及び第２ポールを含み、第２ポールが第１ポールに伸縮可能に設けられ、第１ポールの第２ポールから離れた一端が取付フレームに接続され、第２ポールの第１ポールから離れた一端がハンドル部に接続され、スクーターは、人工運転状態と無人運転状態とを有し、第２ポールは、縮んだ位置と伸びた位置とを有し、スクーターが人工運転状態にある場合に、第２ポールは伸びた位置ることで、操作者はポール部を操作することで車輪部を転舵させ、スクーターが無人運転状態にある場合に、第２ポールは縮んだ位置ることで、駆動部は、転舵するように車輪部を駆動する。
【００１３】
さらに、第１ポール及び／又は第２ポールには、距離センサが設けられ、距離センサによって、第２ポールが縮んだ位置又は伸びた位置にあることを検出し、駆動部は、転舵するように車輪部を駆動するための第２駆動部を有し、制御部は、距離センサに接続され、距離センサによって第２ポールが縮んだ位置にあると検出された場合に、制御部は、撮像部で収集された画像信号によって、動作するように第２駆動部を制御して、車輪部は第２駆動部の駆動により転舵し、また、距離センサによって第２ポールが伸びた位置にあると検出された場合に、制御部は、作業を停止するように撮像部及び第２駆動部を制御して、車輪部は操作者の操作により転舵する。
【発明の効果】
【００１４】
本発明の技術的構成によれば、車両本体に回避空間が設けられ、撮像部が車両本体に取り付けられることで、回避空間により、撮像部は視野角が遮断されてしまうのを回避し、撮像部は周囲環境をより大きい角度で観察することができるようになる。
本願の一部を構成する明細書用図面は、本発明をさらに理解してもらうためのものであり、また、本発明における模式的実施例及びその説明は本発明を説明するものであり、本発明を不当に限定するものではない。図面において、
【図面の簡単な説明】
【００１５】
【図１】本発明によるスクーターの実施例を示す構造模式図である。
【図２】本発明によるスクーターの撮像部の撮像画角の実施例１を示す構造模式図である。
【図３】本発明によるスクーターの撮像部の撮像画角の実施例２を示す構造模式図である。
【発明を実施するための形態】
【００１６】
なお、衝突しない限り、本願の実施例及び実施例中の構成要件を組み合わせることができる。以下、図面を参照しつつ実施例を結合して本発明を詳しく説明する。
ここに使用される用語は、あくまでも具体的な実施形態を説明するためのものであり、本願による例示的な実施形態を限定することを意図していないことに注意が必要である。ここに使用されるように、文脈上、そうでないとする明確な指示がない限り、単数形が使用されていても、複数形を含むものとする。また、本明細書に「含む」及び／又は「有する」といった用語が使用される場合、特徴、ステップ、操作、デバイス、アセンブリー及び／又はそれらの組み合わせがあることを示す。
【００１７】
なお、本願の明細書及び特許請求の範囲並びに図面に言及された「第１」、「第２」等の用語は、類似した対象を区別するためのものであり、特定の順番又は前後順序を説明するためのものではない。ここで説明した本願の実施例をここで示した又は説明した順番以外の順番で実施可能なものにするために、このように使用された数字は適した場合であれば互いに取り替え可能なことは、理解されるべきである。また、用語である「含む」、「有する」及びそれらの如何なる変形は、排他的にならずに含まれたものをカバーすることがその意図であり、例えば、一連のステップ又はユニットを含めたプロセス、方法、システム、製品又は機器は、明確に示したステップ又はユニットに限定される必要がなく、これらのプロセス、方法、製品又は機器に対して明確に示していなかったり、固有であったりする他のステップ又はユニットを含むことができる。
【００１８】
説明のために、ここでは空間上相対的な用語、例えば、「・・・の上にある」、「・・・の上方にある」、「・・・の上面に」、「上の」等を使うことで、図示されるようなデバイス又は特徴と他のデバイス又は特徴との空間位置関係を表すことができる。空間上相対的な用語は、デバイスの図示される方位以外の使用又は操作における方位を含むことを意図することは、理解されるべきである。例えば、図面におけるデバイスが反転される場合、「他のデバイス又は構造の上方にある」又は「他のデバイス又は構造の上にある」と記載されたデバイスは、反転された後、「他のデバイス又は構造の下方にある」又は「他のデバイス又は構造の下にある」ように説明される。このため、示例的な用語である「・・・の上方にある」は、「・・・の上方にある」と「・・・の下方にある」という２つの方位を含むことができる。このデバイスは、他の異なる方式で位置決められてもよく（９０度回転するか、或いは他の方位にある）、これに応じて、ここに使用される空間上相対的な説明について解釈する。
【００１９】
今、図面を参照しながら、本願の示例的な実施形態についてさらに詳しく説明する。しかし、これらの示例的な実施形態は、様々な異なる形式で実施されることができ、ここに説明される実施形態に限定されると理解してはならない。これらの実施方式を提供するのは、本願の開示を徹底的かつ完全なものにし、これらの示例的な実施形態を当業者に充分に伝えるためであり、図面において、明確にするために、層及び領域の厚さを大きくする可能性があり、また、同一のデバイスに対して同一の符号を付するため、それらに関する説明を省略することは、理解されるべきである。
【００２０】
図１〜図３に示すように、本発明の実施例によれば、スクーターを提供する。
具体的には、図１に示すように、このスクーターは、車両本体１０と撮像部２０とを含み、撮像部２０は、車両本体１０に取り付けられ、車両本体１０は、撮像部２０の撮像画角を回避するための回避空間１４を有し、回避空間１４によって、カメラが無人ナビゲーションの場合に画像収集が最も必要とされる位置を遮蔽されないようにし、撮像部２０は、車両本体１０にて実際のニーズに応じてできるだけ高く取り付けられ、例えば、ポール部の頂部に設けられ、これにより、広範囲な平面視範囲を得ることができる。
【００２１】
車両本体に回避空間が設けられ、撮像部が車両本体に取り付けられることで、回避空間に恵まれて、撮像部は視野角が遮断されてしまうのを回避し、撮像部は周囲環境をより大きい角度で観察することができるようになる。
図１及び図２に示すように、スクーターは、駆動部３０と、車輪部４０と、制御部とをさらに含み、駆動部３０が車両本体１０に接続され、車輪部４０の少なくとも一部が駆動部３０に可動自在に接続され、制御部が車両本体１０に接続されながら、撮像部２０および駆動部３０のそれぞれに電気的に接続され、制御部は、撮像部２０で収集される画像信号によって、動作するように駆動部３０を制御して、車輪部４０の少なくとも一部に連れられて車両本体１０が移動し障害物を避けるように駆動する。このように設けることにより、スクーターは、無人状態で、撮像部を介して周囲環境を撮像することができるとともに、制御部は、経路が遮断されたか否かを判断することで、車輪部を動かすように駆動部を制御し、車両本体が障害物のないか、或いは危険のない道路に走行するようにする。
【００２２】
図２に示すように、車両本体１０は、ボード１１と、ポール部１２と、ハンドル部１３とを含み、ポール部１２がボード１１に回動可能に接続され、ポール部１２の第１端は駆動部３０に接続され、ハンドル部１３はポール部１２の第２端に接続され、ハンドル部１３は撮像部２０に接続され、ハンドル部１３とポール部１２の第２端との間に回避空間１４が形成されている。ハンドル部１３とポール部１２の第２端との間に回避空間１４が形成されることにより、撮像部２０は、ボードの周方向を十分な高さで撮像し観察することができ、走行経路に障害物があるか否かを判断する。
【００２３】
図１〜図３に示すように、ハンドル部１３は、ハンドルバー１３１と、第１リンク１３２と、第２リンク１３３とを含み、ハンドルバー１３１が撮像部２０に接続され、第１リンク１３２の第１端はハンドルバー１３１に接続され、第１リンク１３２の第２端はポール部１２の第２端に接続され、第２リンク１３３の第１端はハンドルバー１３１に接続され、第２リンク１３３の第２端はポール部１２の第２端に接続され、第１リンク１３２の第１端と第２リンク１３３の第１端とが間隔を置いて設けられ、ハンドルバー１３１、第１リンク１３２及び第２リンク１３３によって回避空間１４が囲み形成される。このように設けることにより、ハンドルバー１３１に撮像部２０を固定することが容易となるとともに、撮像部２０は、回避空間を介してボード１１の後方を観察することができ、撮像部の撮像画角は、少なくとも、車輪部４０の後輪位置を含むようになる。
【００２４】
図１に示すように、ハンドル部１３は、取付ベース１３４をさらに含み、取付ベース１３４は取付面１３５を有し、取付ベース１３４は、ハンドルバー１３１に接続されるとともに、第１リンク１３２と第２リンク１３３との間に位置し、撮像部２０は、取付面１３５に着脱可能に設けられている。取付ベース１３４を介する撮像部２０の取り付けが容易となる。
【００２５】
取付面１３５と水平面とが所定角度をなして設けられる。所定角度は１０°であり、所定角度を設けることにより、撮像部２０の広角撮像は、進行方向の視野角だけでなく、後輪の視野角を観察することもでき、スクーターの走行安全性を向上させる。
本実施例において、撮像部２０は、広角撮像装置である。例えば、シングル魚眼広角カメラであることができる。
【００２６】
図１に示すように、ポール部１２は、第１ポール１２１と第２ポール１２２とを含み、第１ポール１２１の第１端が車両本体１０に接続され、第１ポール１２１の第２端に開口が設けられ、開口は第１ポール１２１の長手方向に沿って延びて収容室が形成され、第２ポール１２２の第１端が収容室内に可動自在に設けられ、第２ポール１２２の第２端がハンドル部１３に接続され、第２ポール１２２の第２端とポール部１２との間に回避空間１４が形成されている。このように設けることにより、スクーターは、無人走行状態で、第１ポール１２１及び第２ポール１２２の位置を調整することで、スクーターの重心を下げることが容易となり、スクーターの走行安定性を向上させる。
【００２７】
本実施例において、第１ポール１２１及び第２ポール１２２のうちの少なくとも一方には距離センサが設けられ、距離センサは、制御部に電気的に接続され、第２ポール１２２は、収容室内にある縮んだ位置と、収容室外にある伸びた位置とを有し、距離センサによって第２ポール１２２が縮んだ位置にあると検出された場合に、制御部は、撮像部２０で収集された画像信号によって、動作するように駆動部３０を制御し、また、距離センサによって第２ポール１２２が伸びた位置にあると検出された場合に、制御部は、作業を停止するように撮像部２０を制御する。距離センサを設けることで第１ポール１２１と第２ポール１２２との相対的な距離を検出し、さらに、スクーターが無人運転状態かそれとも有人運転状態かを判断し、無人運転状態である場合に、撮像部は作業を開始する。
【００２８】
本実施例において、スクーターは、警報部を含み、警報部が車両本体１０に接続されながら、制御部に電気的に接続される。このように設けることにより、無人走行状態で、歩行者に警告することが容易となり、例えば、昼では音で警告し、夜では光の点滅で警告する。
スクーターは、軟性部をさらに含み、軟性部は、撮像部２０と取付面１３５との間に位置する。軟性部はゴムパッドであることができる。軟性部によって撮像部２０を保護し、撮像部２０の使用寿命を向上させる。
【００２９】
以下、図面を結合して本発明のスクーターをより詳しく説明する。
図１に示すように、このスクーターは、車両本体１０と撮像部２０とを含み、撮像部２０は、車両本体１０に取り付けられ、車両本体１０は、撮像部２０の撮像画角を回避するための回避空間１４を有し、回避空間１４によって、カメラが無人ナビゲーションの場合に画像収集が最も必要とされる位置を遮蔽されないようにし、撮像部２０は、車両本体１０にて実際のニーズに応じてできるだけ高く取り付けられ、例えば、ポール部の頂部に設けられ、これにより、広範囲な平面視範囲を得ることができる。
【００３０】
図１及び図２に示すように、スクーターは、駆動部３０と、車輪部４０であって、駆動部３０は、車輪部４０に駆動接続されることで、車輪部４０の輪軸の軸線回りに回動するように車輪部４０を駆動する、及び／又は、転舵運動するように車輪部４０を駆動する車輪部４０と、車両本体１０に接続されながら、撮像部２０及び駆動部３０のそれぞれに電気的に接続され、撮像部２０で収集された画像信号によって、動作するように駆動部３０を制御して、車輪部４０の少なくとも一部に連れられて車両本体１０が移動し障害物を避けるように駆動する制御部と、をさらに含む。
【００３１】
図１に示すように、駆動部３０は、第１駆動部３１を含み、第１駆動部３１は、車輪部４０の内側に設けられ、第１駆動部３１は、車輪部４０の輪軸に接続されることで、輪軸の軸線回りに回動するように車輪部４０を駆動する。
図１に示すように、車両本体１０は、取付フレーム５０をさらに含み、車輪部４０は、取付フレーム５０に回動可能に取り付けられ、駆動部３０は、第２駆動部３２を含み、第２駆動部３２は、取付フレーム５０に駆動接続され、取付フレーム５０を回動するように駆動し、これにより、取付フレーム５０に連れられて車輪部４０が転舵する。
【００３２】
具体的には、第２駆動部３２は主駆動輪を有し、取付フレーム５０に従動輪が設けられ、主駆動輪及び従動輪に伝達ベルトが設置され、主駆動輪に連れられて従動輪が回動することで、取付フレーム５０が回動する。
図２に示すように、車両本体１０は、ボード１１と、ボード１１に対して回動可能に設けられるポール部１２であって、ポール部１２の第１端が取付フレーム５０に接続され、第２駆動部３２が非作動状態にある場合に、ポール部１２を操作することで車輪部４０を転舵させるポール部１２と、ポール部１２の第２端に接続され、撮像部２０が取り付けられているハンドル部１３と、をさらに含む。
【００３３】
図１〜図３に示すように、ハンドル部１３は、撮像部２０が設けられているハンドルバー１３１と、Ｕ字形状ロッドである接続ロッドとを含み、接続ロッドとハンドルバー１３１とが回避空間１４を囲むように、接続ロッドの両端がそれぞれハンドルバー１３１に接続され、撮像部２０の少なくとも一部は回避空間１４内に位置する。ポール部１２の第２端が接続ロッドの中部に接続される。
【００３４】
図１に示すように、ポール部１２は、第１ポール１２１及び第２ポール１２２を含み、第２ポール１２２が第１ポール１２１に伸縮可能に設けられ、第１ポール１２１の第２ポール１２２から離れた一端は取付フレーム５０に接続され、第２ポール１２２の第１ポール１２１から離れた一端はハンドル部１３に接続される。
【００３５】
スクーターは、人工運転状態と無人運転状態とを有し、第２ポール１２２は、縮んだ位置と伸びた位置とを有する。スクーターが人工運転状態にある場合、第２ポール１２２は伸びた位置にあり、操作者はポール部１２を操作することで車輪部４０を転舵させる。スクーターが無人運転状態にある場合、第２ポール１２２は縮んだ位置にあり、駆動部３０は、転舵するように車輪部４０を駆動する。
【００３６】
本実施例において、第１ポール１２１及び／又は第２ポール１２２には距離センサが設けられ、距離センサによって、第２ポール１２２が縮んだ位置又は伸びた位置にあるのを検出する。駆動部３０は、転舵するように車輪部４０を駆動するための第２駆動部３２を含む。制御部は距離センサに接続され、距離センサによって第２ポール１２２が縮んだ位置にあると検出された場合に、制御部は、撮像部２０で収集された画像信号によって、動作するように第２駆動部３２を制御し、車輪部４０は第２駆動部３２の駆動により転舵する。また、距離センサによって第２ポール１２２が伸びた位置にあると検出された場合に、制御部は、作業を停止するように撮像部２０及び第２駆動部３２を制御し、車輪部４０は操作者の操作により転舵する。
本実施例において、スクーターは、警報部をさらに含み、警報部は車両本体１０に取り付けられ、制御部は警報部に接続され、スクーターが無人運転状態にある場合に、制御部は、警告信号を発するように警報部を制御する。
【００３７】
なお、これに加え、本明細書に言及された「１つの実施例」、「他の実施例」、「実施例」等とは、当該実施例を結合して説明された具体的な特徴、構造又は特点が本願で総括して説明した少なくとも１つの実施例に含まれることを意味する。明細書において複数の箇所に出た同じ記載は、必ずしも同一の実施例を指すとは限らない。さらに、いずれかの実施例を結合して１つの具体的な特徴、構造又は特点を説明する際に、他の実施例を結合してこのような特徴、構造又は特点を実現することも本発明の範囲内に含まれることを意図している。
【００３８】
上述した実施例において、各実施例に対する記述はそれぞれ独自の重点があり、ある実施例について詳しく説明していない部分は、他の実施例の関連記述を参照することができる。
以上は、本発明の好適な実施例に過ぎず、本発明を限定することは意図していない。当業者であれば、本発明に様々な変更や変形が可能である。本発明の思想や原則内の如何なる修正、均等の置き換え、改良なども、本発明の保護範囲内に含まれるべきである。
【符号の説明】
【００３９】
１０…車両本体、１１…ボード、１２…ポール部、１２１…第１ポール、１２２…第２ポール、１３…ハンドル部、１３１…ハンドルバー、１３２…第１リンク、１３３…第２リンク、１３４…取付ベース、１３５…取付面、１４…回避空間、２０…撮像部、３０…駆動部、３１…第１駆動部、３２…第２駆動部、４０…車輪部、５０…取付フレーム
【図１】
2020090272.tif 000003
【図２】
2020090272.tif 000004
【図３】
2020090272.tif 000005